【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
外部と接続される３つ以上の端子（１２１、１２２、１２３）と、
異なる前記端子間をつなぐ電流の主経路（１３０）に設けられ、前記端子間の導通及び遮断を切り替えるスイッチ（ＳＷ１００、ＳＷ１０１、ＳＷ１０２）と、
複数の前記スイッチのそれぞれに流れる電流を検出し、異常にともなう過電流が流れているか否かを判定する判定部（１５２）と、
少なくとも一部の前記スイッチに流れる電流が過電流である場合に、前記過電流が流れる向きに基づいて、前記異常の部位にもっとも近い前記端子に接続された前記スイッチをオフ状態に切り替える制御部（１５１、１５３）と、
を備え、
前記端子として、第１電源側のラインに接続される第１端子（１２１）と、前記第１電源とは別の第２電源側のラインに接続される第２端子（１２２）と、負荷が接続される少なくともひとつの第３端子（１２３）と、を有し、
複数の前記スイッチは、前記第１端子と前記第２端子との間に設けられた前記主経路において、直列に接続され、
前記第３端子は、前記主経路において隣り合う前記スイッチの間に接続されており、
前記制御部は、連続する２つ以上の前記スイッチについて前記過電流の向きが同じ場合に、最下流の前記スイッチをオフ状態に切り替える通電制御装置。
【請求項２】
外部と接続される３つ以上の端子（１２１、１２２、１２３）と、
異なる前記端子間をつなぐ電流の主経路（１３０）に設けられ、前記端子間の導通及び遮断を切り替えるスイッチ（ＳＷ１００、ＳＷ１０１、ＳＷ１０２）と、
複数の前記スイッチのそれぞれに流れる電流を検出し、異常にともなう過電流が流れているか否かを判定する判定部（１５２）と、
少なくとも一部の前記スイッチに流れる電流が過電流である場合に、前記過電流が流れる向きに基づいて、前記異常の部位にもっとも近い前記端子に接続された前記スイッチをオフ状態に切り替える制御部（１５１、１５３）と、
を備え、
前記端子として、第１電源側のラインに接続される第１端子（１２１）と、前記第１電源とは別の第２電源側のラインに接続される第２端子（１２２）と、負荷が接続される少なくともひとつの第３端子（１２３）と、を有し、
複数の前記スイッチは、前記第１端子と前記第２端子との間に設けられた前記主経路において、直列に接続され、
前記第３端子は、前記主経路において隣り合う前記スイッチの間に接続されており、
前記制御部は、間に前記第３端子が接続された２つの前記スイッチにおいて、前記過電流の向きがともに前記第３端子に向かう方向の場合に、２つの前記スイッチの両方をオフ状態に切り替える通電制御装置。
【請求項３】
前記第１電源と前記第２電源との間で、他の前記通電制御装置と直列に配置される請求項１または請求項２に記載の通電制御装置であって、
前記判定部は、前記第１端子、前記第２端子、及び前記第３端子の少なくともひとつの電圧に応じて、前記過電流を判定する閾値、及び／又は、前記過電流の監視時間を設定する通電制御装置。
【請求項４】
第１電源（１１１、１１５）と、
第２電源（１１２）と、
複数の通電制御装置（１１３）と、
を備え、
前記通電制御装置のそれぞれは、
外部と接続される３つ以上の端子（１２１、１２２、１２３）と、
異なる前記端子間をつなぐ電流の主経路（１３０）に設けられ、前記端子間の導通及び遮断を切り替えるスイッチ（ＳＷ１００、ＳＷ１０１、ＳＷ１０２）と、
複数の前記スイッチのそれぞれに流れる電流を検出し、異常にともなう過電流が流れているか否かを判定する判定部（１５２）と、
少なくとも一部の前記スイッチに流れる電流が過電流である場合に、前記過電流が流れる向きに基づいて、前記異常の部位にもっとも近い前記端子に接続された前記スイッチをオフ状態に切り替える制御部（１５１、１５３）と、
を備えるとともに、
前記端子として、第１電源側のラインに接続される第１端子（１２１）と、前記第１電源とは別の第２電源側のラインに接続される第２端子（１２２）と、負荷が接続される少なくともひとつの第３端子（１２３）と、を有し、
複数の前記スイッチは、前記第１端子と前記第２端子との間に設けられた前記主経路において、直列に接続され、
前記第３端子は、前記主経路において隣り合う前記スイッチの間に接続されており、
複数の前記通電制御装置が、前記第１電源と前記第２電源との間で直列に配置されている電源システム。
【請求項５】
前記通電制御装置それぞれの前記判定部は、前記第１端子、前記第２端子、及び前記第３端子の少なくともひとつの電圧に応じて、前記過電流を判定する閾値、及び／又は、前記過電流の監視時間を設定する請求項４に記載の電源システム。
【請求項６】
第１電源（１１１、１１５）と、
第２電源（１１２）と、
複数の通電制御装置（１１３）と、
を備え、
前記通電制御装置のそれぞれは、
外部と接続される３つ以上の端子（１２１、１２２、１２３）と、
異なる前記端子間をつなぐ電流の主経路（１３０）に設けられ、前記端子間の導通及び遮断を切り替えるスイッチ（ＳＷ１００、ＳＷ１０１、ＳＷ１０２）と、
複数の前記スイッチのそれぞれに流れる電流を検出し、異常にともなう過電流が流れているか否かを判定する判定部（１５２）と、
少なくとも一部の前記スイッチに流れる電流が過電流である場合に、前記過電流が流れる向きに基づいて、前記異常の部位にもっとも近い前記端子に接続された前記スイッチをオフ状態に切り替える制御部（１５１、１５３）と、
を備えるとともに、
前記端子として、第１電源側のラインに接続される第１端子（１２１）と、前記第１電源とは別の第２電源側のラインに接続される第２端子（１２２）と、負荷が接続される少なくともひとつの第３端子（１２３）と、を有し、
複数の前記スイッチは、前記第１端子と前記第２端子との間に設けられた前記主経路において、直列に接続され、
前記第３端子は、前記主経路において隣り合う前記スイッチの間に接続されており、
複数の前記通電制御装置が、前記第１電源と前記第２電源との間に配置されており、
前記通電制御装置のそれぞれは、前記過電流によりオフ状態に制御した前記スイッチに関する情報を、他の前記通電制御装置との間で共有するための通信部（１５４）をさらに有し、
前記通電制御装置それぞれの前記制御部は、取得した前記スイッチに関する情報に基づいて、自身がオフ状態に制御している前記スイッチのオフ状態を解除する又は保持する電源システム。
【請求項７】
第１電源（１１１、１１５）と、
第２電源（１１２）と、
複数の通電制御装置（１１３）と、
を備え、
前記通電制御装置のそれぞれは、
外部と接続される３つ以上の端子（１２１、１２２、１２３）と、
異なる前記端子間をつなぐ電流の主経路（１３０）に設けられ、前記端子間の導通及び遮断を切り替えるスイッチ（ＳＷ１００、ＳＷ１０１、ＳＷ１０２）と、
複数の前記スイッチのそれぞれに流れる電流を検出し、異常にともなう過電流が流れているか否かを判定する判定部（１５２）と、
少なくとも一部の前記スイッチに流れる電流が過電流である場合に、前記過電流が流れる向きに基づいて、前記異常の部位にもっとも近い前記端子に接続された前記スイッチをオフ状態に切り替える制御部（１５１、１５３）と、
を備えるとともに、
前記端子として、第１電源側のラインに接続される第１端子（１２１）と、前記第１電源とは別の第２電源側のラインに接続される第２端子（１２２）と、負荷が接続される少なくともひとつの第３端子（１２３）と、を有し、
複数の前記スイッチは、前記第１端子と前記第２端子との間に設けられた前記主経路において、直列に接続され、
前記第３端子は、前記主経路において隣り合う前記スイッチの間に接続されており、
複数の前記通電制御装置が、前記第１電源と前記第２電源との間に配置されており、
前記通電制御装置のそれぞれは、前記過電流によりオフ状態に制御した前記スイッチに関する情報を上位制御装置であるＥＣＵへ送信し、前記ＥＣＵから指令を受信する通信部（１５４）をさらに有し、
前記通電制御装置それぞれの前記制御部は、受信した前記指令に基づいて、自身がオフ状態に制御している前記スイッチのオフ状態を解除する又は保持する電源システム。
【請求項８】
前記通電制御装置それぞれの前記制御部は、連続する２つ以上の前記スイッチについて前記過電流の向きが同じ場合に、最下流の前記スイッチをオフ状態に切り替える請求項４〜７いずれか１項に記載の電源システム。
【請求項９】
前記通電制御装置それぞれの前記制御部は、間に前記第３端子が接続された２つの前記スイッチにおいて、前記過電流の向きがともに前記第３端子に向かう方向の場合に、２つの前記スイッチの両方をオフ状態に切り替える請求項４〜７いずれか１項に記載の電源システム。
【手続補正２】
【補正対象書類名】明細書
【補正対象項目名】０００６
【補正方法】変更
【補正の内容】
【０００６】
ここに開示された通電制御装置は、
外部と接続される３つ以上の端子（１２１、１２２、１２３）と、
異なる端子間をつなぐ電流の主経路（１３０）に設けられ、端子間の導通及び遮断を切り替えるスイッチ（ＳＷ１００、ＳＷ１０１、ＳＷ１０２）と、
複数のスイッチのそれぞれに流れる電流を検出し、異常にともなう過電流が流れているか否かを判定する判定部（１５２）と、
少なくとも一部のスイッチに流れる電流が過電流である場合に、過電流が流れる向きに基づいて、異常の部位にもっとも近い端子に接続されたスイッチをオフ状態に切り替える制御部（１５１、１５３）と、
を備え、
端子として、第１電源側のラインに接続される第１端子（１２１）と、第１電源とは別の第２電源側のラインに接続される第２端子（１２２）と、負荷が接続される少なくともひとつの第３端子（１２３）と、を有し、
複数のスイッチは、第１端子と第２端子との間に設けられた主経路において、直列に接続され、
第３端子は、主経路において隣り合うスイッチの間に接続されており、
制御部は、連続する２つ以上のスイッチについて過電流の向きが同じ場合に、最下流のスイッチをオフ状態に切り替える。